(57)【要約】【課題】径の異なる２種類の取付ねじに対応することが可能なスピーカフレームの取付構造を提供する。【解決手段】フレーム外周縁３１に一定の間隔を置いて起立させて形成した複数個の係止部４を有するスピーカフレーム３と、隣接する係止部４へ係合する係合溝６１を左右両端部の対称位置にそれぞれ設けると共に、上下両端部の対称位置に取付ねじ挿通用の大きさの異なるＵ字形状の切り欠き部７、８をそれぞれ設けた取付金具６とを備え、取付金具６の取り付け向きを変えることにより、径の異なる２種類の取付ねじに対応する。【選択図】        図１
2004336333.tif 000002
【特許請求の範囲】
【請求項１】
フレーム外周縁に一定の間隔を置いて起立させて形成した複数個の係止部を有するスピーカフレームと、
隣接する係止部へ係合する係合溝を対向する両端部の対称位置にそれぞれ設けると共に、他の対向する両端部の対称位置に取付ねじ挿通用のＵ字形状の切り欠き部をそれぞれ設けた取付金具とを備え、
前記フレーム外周縁部分を前記取付金具を用いてスピーカ取付部へ挟み込み、Ｕ字形状の切り欠き部へ挿通した取付ねじでスピーカ取付部へ締着固定するように構成したことを特徴とするスピーカフレームの取付構造。
【請求項２】
前記取付金具の切り欠き部は、大きさの異なる２種類のＵ字形状で形成し、取付金具の取り付け向きを変えることにより、径の異なる２種類の取付ねじに対応できるように構成したことを特徴とする請求項１記載のスピーカフレームの取付構造。
【請求項３】
前記取付金具の係合溝は、係合溝を形成する対向する両端縁の形状を前記フレーム外周縁に形成した係止部の湾曲線と等しい曲線に形成したことを特徴とする請求項１又は２記載のスピーカフレームの取付構造。
【発明の詳細な説明】
【０００１】
【発明の属する技術分野】
本発明は、スピーカフレームの取付構造に関するものである。
【０００２】
従来、この種のスピーカフレームの取付構造としては、例えば、図４の示すように構成したものが知られている。図４（ａ）は、スピーカ１をバッフル板あるいは機器本体フレーム等に設けたスピーカ取付部（図示しない）へ取り付けた状態を示す正面図である。図４（ｂ）は、取付金具２を示す正面図である。
【０００３】
この図４に示すスピーカフレームの取付構造は、スピーカフレーム３のフレーム外周縁３１に一定の間隔を置いて起立させて形成した複数個の係止部４を設けている。この複数個の係止部４は、フレームの外周縁３１の円周に沿って内側に湾曲して形成している。また、このスピーカフレームの取付構造に用いる取付金具２は、図４（ｂ）に示すように、左右両端部の対称位置に凹字形状の係合溝２１をそれぞれ設けている。この２つの係合溝２１は、係止部４の湾曲形状に合致する溝形状を有している。さらに、この取付金具２の上端部には、スピーカフレーム３をスピーカ取付部へ締着固定する取付ねじ５を挿通するためのＵ字形状の切り欠き部２２を設けている。
【０００４】
上記のように構成されたスピーカフレームの取付構造において、図４（ａ）に示すように、フレーム外周縁３１の部分を取付金具２を用いてスピーカ取付部へ締着固定する場合は、複数個の係止部４の内、隣接する係止部４の端部へ取付金具２の係合溝２１をそれぞれ嵌め込み、取付金具２とスピーカ取付部との間にフレーム外周縁３１の部分を挟み込み、Ｕ字形状の切り欠き部２２へ取付ねじ５を挿通してねじ止めを行うことにより、スピーカフレーム３の締着固定を行なっていた。
【０００５】
このように、図４の従来例においては、図４（ａ）に示すように、４個の取付金具２を用いて、それぞれ９０度ずらした４箇所の取り付け位置を締着固定し、スピーカ１をスピーカ取付部へ固定するように構成している。
【０００６】
また、従来の取付金具を用いた取付方法においては、取付金具を１８０度回転させて取り付け向きを変えることにより、異なる使い方をすることができるように構成しているものもある。（例えば、特許文献１参照）
【０００７】
【特許文献１】
特開平５−１０９３５６号公報（第２−３頁、第１図）
【０００８】
【発明が解決しようとする課題】
図４に示す従来のスピーカフレームの取付構造にあっては、取付金具２に設けたＵ字形状の切り欠き部２２の大きさ（孔形状）が決まっているため、１種類の取付ねじ５しか使用できないという問題点があった。
【０００９】
本発明は、従来の技術の有するこのような問題点に鑑みてなされたものであり、その目的とするところは、径の異なる２種類の大きさの取付ねじに対応することができるスピーカフレームの取付構造を提供しようとするものである。
【００１０】
【課題を解決するための手段】
上記目的を達成するために、本発明におけるスピーカフレームの取付構造は、フレーム外周縁に一定の間隔を置いて起立させて形成した複数個の係止部を有するスピーカフレームと、
隣接する係止部へ係合する係合溝を対向する両端部の対称位置にそれぞれ設けると共に、他の対向する両端部の対称位置に取付ねじ挿通用のＵ字形状の切り欠き部をそれぞれ設けた取付金具とを備え、
上記フレーム外周縁の部分を上記取付金具を用いてスピーカ取付部へ挟み込み、Ｕ字形状の切り欠き部へ挿通した取付ねじでスピーカ取付部へ締着固定するように構成したものである。
【００１１】
そして、上記取付金具の切り欠き部は、大きさの異なる２種類のＵ字形状で形成し、取付金具の取り付け向きを変えることにより、径の異なる２種類の取付ねじに対応できるように構成したものである。
【００１２】
また、上記取付金具の係合溝は、その係合溝を形成する対向する両端縁の形状をフレーム外周縁に形成した係止部の湾曲線と等しい曲線に形成することが効果的である。
【００１３】
【発明の実施の形態】
発明の実施の形態を実施例にもとづき図面を参照して説明する。
なお、図４に示す従来例と同一部分には、同一符号を付し、その共通する箇所の詳細な説明は重複するため省略する。
図１（ａ）は、本発明に係るスピーカフレームの取付構造を示すものであって、スピーカ１をバッフル板あるいは機器本体フレーム等に構成したスピーカ取付部（図示しない）へ取り付けた状態を示す正面図である。図１（ｂ）は、本発明に係るスピーカフレームの取付構造に用いる取付金具を示す正面図である。
【００１４】
図１（ｂ）に示す取付金具６は、左右両端における中心線に対して対称な位置にそれぞれ係合溝６１を設けている。この係合溝６１は、その係合溝６１を形成している対向する両端縁６１ａおよび６１ｂの形状をフレーム外周縁３１に設けた係止部４の湾曲線と等しい曲線で非対称に形成している。このように係合溝６１の両端縁６１ａ、６１ｂを非対称な曲線で形成することにより、取付金具６の取り付け向きを１８０度変えて使用するいずれの場合においても、２つの係合溝６１が隣接する係止部４の湾曲した端部へ確実に係合することができるように構成している。
【００１５】
さらに、図１（ｂ）に示す取付金具６は、大きさの異なる２種類のＵ字形状の切り欠き部７および８を取付金具６の上下対称位置に設けている。この大きいＵ字形状の切り欠き部７と、小さいＵ字形状の切り欠き部８を使い分けることにより、径の異なる２種類の取付ねじ９および１０に対応することが可能となる。
【００１６】
上記のように構成された取付金具６を、例えば、４個用いてスピーカ１をスピーカ取付部へ固定する場合は、図１（ａ）に示す実施例のように、取付金具６の取り付け位置を９０度ずらして４箇所に配置する。このとき、取付金具６の左右両端部に形成した係合溝６１を隣接する２つの係止部４の端部へそれぞれ挿入して係合させ、取付金具６を隣接する２つの係止部４の間へ装着する。
【００１７】
この図１（ａ）の実施例においては、径の大きい取付ねじ９に対応できるように、取付金具６の大きいＵ字形状の切り欠き部７がフレーム外周縁３１よりも外側に突出した状態で取付金具６が装着されている。したがって、径の大きい取付ねじ９を大きいＵ字形状の切り欠き部７に挿通し、取付金具６とスピーカ取付部との間にフレーム外周縁３１の部分を挟み込み、取付ねじ９をスピーカ取付部へねじ込むことにより、スピーカフレーム３を取付金具６とスピーカ取付部との間に締着固定することができる。
【００１８】
一方、取付金具６を径の小さい取付ねじ１０に対応させる場合は、図２に示すように、取付金具６を図１（ａ）の場合とは装着する向きを１８０度変えることにより、小さいＵ字形状の切り欠き部８をフレーム外周縁３１よりも外側に突出させた状態で取付金具６を隣接する２つの係止部４の間へ装着する。
【００１９】
このとき、係合溝６１は、図１（ｂ）に示すように、係合溝６１を形成している対向する両端縁６１ａ、６１ｂの形状を係止部４の湾曲線と等しい曲線で非対称に形成しているから、取付金具６の取り付け向きを１８０度変えても、隣接する２つの係止部４の端部との係合を容易に行なうことができる。したがって、径の小さい取付ねじ１０を小さいＵ字形状の切り欠き部８へ挿通し、取付金具６とスピーカ取付部との間に、スピーカフレーム３を締着固定することができる。
【００２０】
図３は、本発明に係るスピーカフレームの取付構造の他の実施例を示すものであって、図１（ｂ）に示す取付金具６を３個用い、その取付位置を１２０度ずらして配置し、スピーカフレーム３の３箇所を締着固定した状態を示している。このように、取付金具６は、径の異なる２種類の取付ねじ９、１０に対応した状態で、必要に応じて複数箇所へ装着させることができる。
なお、取付金具６を構成する材質は、樹脂の成形品、あるいは金属の抜き加工品でも良い。
【００２１】
【発明の効果】
本発明は、以上のように構成されているので、径の異なる２種類の取付ねじに対応したスピーカフレームの取付構造を提供することができる。
【図面の簡単な説明】
【図１】本発明に係るスピーカフレームの取付構造の実施例を示す正面図および取付金具の正面図である。
【図２】本発明に係るスピーカフレームの取付構造の実施例を示す正面図である。
【図３】本発明に係るスピーカフレームの取付構造の他の実施例を示す正面図である。
【図４】従来のスピーカフレームの取付構造を示す正面図および取付金具の正面図である。
【符号の説明】
１        スピーカ
２        取付金具
２１      係合溝
２２      切り欠き部
３        スピーカフレーム
３１      フレーム外周縁
４        係止部
５        取付ねじ
６        取付金具
６１      係合溝
６１ａ、６１ｂ        端縁
７、８                切り欠き部
９、１０              取付ねじ
【図１】
2004336333.tif 000003
【図２】
2004336333.tif 000004
【図３】
2004336333.tif 000005
【図４】
2004336333.tif 000006